(57)【要約】【課題】自局のセルにおける信号品質の低下を抑えること。【解決手段】基地局装置は、通信部と、取得部と、選択部と、接続先制御部とを備える。通信部は、周波数帯の異なる複数のセル又は複数のセルの各々に接続する端末と通信を行う。取得部は、複数のセルの中の一つのセルに接続する複数の端末の数が所定の閾値を超過する場合に、端末ごとに、一つのセルを除く他のセルに対する接続能力と、他のセルとの間の接続状態とを示す情報を取得する。選択部は、情報で示される接続能力と、接続状態とを基に、複数の端末の中から、一つのセルとの接続を解放すべき端末である第１の候補端末を選択する。接続先制御部は、第１の候補端末の接続先を他のセルへ切り替える。【選択図】図３
2017011340.tif 000002
【特許請求の範囲】
【請求項１】
周波数帯の異なる複数のセルを収容する基地局装置において、
前記複数のセル又は前記複数のセルの各々に接続する端末と通信を行う通信部と、
前記複数のセルの中の一つのセルに接続する複数の前記端末の数が所定の閾値を超過する場合に、前記端末ごとに、前記一つのセルを除く他のセルに対する接続能力と、前記他のセルとの間の接続状態とを示す情報を取得する取得部と、
前記情報で示される前記接続能力と、前記接続状態とを基に、複数の前記端末の中から、前記一つのセルとの接続を解放すべき端末である第１の候補端末を選択する選択部と、
前記第１の候補端末の接続先を前記他のセルへ切り替える接続先制御部と
を備えることを特徴とする基地局装置。
【請求項２】
前記選択部は、複数の前記端末のうち、前記接続能力を有し、かつ、前記接続状態が良好である端末を前記第１の候補端末として選択することを特徴とする請求項１に記載の基地局装置。
【請求項３】
前記選択部は、複数の前記端末のうち、前記接続能力を有さない端末を前記第１の端末候補から除外することを特徴とする請求項１又は２に記載の基地局装置。
【請求項４】
前記選択部は、複数の前記端末のうち、前記接続能力を有し、かつ、前記接続状態が悪い端末を前記第１の候補端末から除外することを特徴とする請求項１〜３のいずれか一つに記載の基地局装置。
【請求項５】
前記第１の候補端末は、前記他のセルと、前記他のセルに従属する前記一つのセルとに同時に接続し、前記一つのセル及び前記他のセルの無線リソースを用いて前記基地局装置と前記通信を行う前記接続能力を有する第１の類型の端末、前記一つのセルに接続し、かつ、前記一つのセルから前記他のセルへ接続を切り替え可能であり、前記一つのセル及び前記他のセルのいずれか一方のセルの無線リソースを用いて前記基地局装置と前記通信を行う前記接続能力を有する第２の類型の端末、又は、前記一つのセルと、前記一つのセルに従属する前記他のセルとに同時に接続し、前記一つのセル及び前記他のセルの無線リソースを用いて前記基地局装置と前記通信を行う前記接続能力を有する第３の類型の端末であることを特徴とする請求項１〜４のいずれか一つに記載の基地局装置。
【請求項６】
前記接続先制御部は、前記第１の候補端末が前記第１の類型の端末である場合に、前記第１の候補端末に割り当てられた前記一つのセルの無線リソースを解放することによって、前記第１の候補端末の接続先を前記他のセルへ切り替えることを特徴とする請求項５に記載の基地局装置。
【請求項７】
前記接続先制御部は、前記第１の候補端末が前記第２の類型の端末である場合に、前記一つのセルから前記他のセルへのハンドオーバを前記第１の候補端末に指示することによって、前記第１の候補端末の接続先を前記他のセルへ切り替えることを特徴とする請求項５に記載の基地局装置。
【請求項８】
前記接続先制御部は、前記第１の候補端末が前記第３の類型の端末である場合に、前記第１の候補端末に割り当てられた前記他のセルの無線リソースを解放するとともに、前記第１の候補端末に割り当てられた前記一つのセルの無線リソースを前記他のセルの無線リソースに切り替えることによって、前記第１の候補端末の接続先を前記他のセルへ切り替えることを特徴とする請求項５に記載の基地局装置。
【請求項９】
前記接続先制御部は、前記第１の類型の端末、前記第２の類型の端末及び前記第３の類型の端末の順に、前記第１の候補端末の接続先を前記他のセルへ切り替えることを特徴とする請求項５〜８のいずれか一つに記載の基地局装置。
【請求項１０】
前記複数のセルの各々に接続する端末が、前記複数のセルに隣接する他の基地局装置のセルである隣接セルに接続した場合の受信品質を収集する収集部をさらに備え、
前記選択部は、前記第１の候補端末の接続先が前記他のセルへ切り替えられた後に、前記一つのセルに接続する複数の前記端末の数が所定の閾値を超過する場合に、前記受信品質を基に、前記一つのセルに接続する複数の前記端末及び前記他のセルに接続する複数の前記端末の中から、前記一つのセル又は前記他のセルとの接続を解放すべき端末である第２の候補端末を選択し、
前記接続先制御部は、前記第２の候補端末の接続先を前記隣接セルへ切り替えることを特徴とする請求項１〜９のいずれか一つに記載の基地局装置。
【請求項１１】
前記セルごとに、前記通信部の前記通信に用いられる送信電力を制御する送信電力制御部をさらに備え、
前記選択部は、前記一つのセルに接続する複数の前記端末の各々及び前記他のセルに接続する複数の前記端末の各々に関して、前記受信品質が低いほど前記送信電力を低減させる送信電力低減量を算出し、前記送信電力低減量が最小となる端末を前記第２の候補端末として選択し、
前記接続先制御部は、前記第２の候補端末が接続するセルの前記送信電力を前記送信電力低減量だけ低減する旨を前記送信電力制御部へ指示し、前記送信電力が低減された状態で、前記第２の候補端末の接続先を前記隣接セルへ切り替えることを特徴とする請求項１０に記載の基地局装置。
【請求項１２】
前記接続先制御部は、前記一つのセル又は前記他のセルから前記隣接セルへのハンドオーバを前記第２の候補端末に指示することによって、前記第２の候補端末の接続先を前記隣接セルへ切り替えることを特徴とする請求項１０又は１１に記載の基地局装置。
【請求項１３】
前記接続先制御部は、前記他のセルに接続する複数の前記端末の中から選択された前記第２の候補端末の接続先を前記隣接セルへ切り替えた場合、前記第１の候補端末の接続先を前記他のセルへ切り替える処理を再度行うことを特徴とする請求項１０〜１２のいずれか一つに記載の基地局装置。
【請求項１４】
周波数帯の異なる複数のセルを収容する基地局装置が、
前記複数のセル又は前記複数のセルの各々に接続する端末と通信を行い、
前記複数のセルの中の一つのセルに接続する複数の前記端末の数が所定の閾値を超過する場合に、前記端末ごとに、前記一つのセルを除く他のセルに対する接続能力と、前記他のセルとの間の接続状態とを示す情報を取得し、
前記情報で示される前記接続能力と、前記接続状態とを基に、複数の前記端末の中から、前記一つのセルとの接続を解放すべき端末である第１の候補端末を選択し、
前記第１の候補端末の接続先を前記他のセルへ切り替える
処理を実行することを特徴とする基地局装置制御方法。
【発明の詳細な説明】
【技術分野】
【０００１】
本発明は、基地局装置及び基地局装置制御方法に関する。
【背景技術】
【０００２】
近年、周波数帯の異なる複数のセルを同時に収容し、複数のセル又は複数のセルの各々に接続する端末と通信を行う、マルチキャリア機能を有する基地局装置が知られている。
【０００３】
マルチキャリア機能を有する基地局装置では、複数のセルの中の特定のセル内に多数の端末が一時的に集中した場合、特定のセルに接続する端末の数が予め定められた閾値を超えてしまうことがある。この場合、特定のセルに接続する端末は、基地局装置との間の通信を維持することが困難となる。例えば、特定のセルに接続する端末は、他の基地局装置に接続して干渉問題を引き起こすため、通信が困難となる。
【０００４】
これに対して、例えば、特定のセルに接続する端末の数が予め定められた閾値を超えた場合に、特定のセルから、複数のセルのうち、より端末の数が少ない他のセルに端末の接続先を変更させるロードバランス制御を行うことが考えられる。
【０００５】
しかしながら、端末の中には他のセルに対する接続能力を有さない端末や、他のセルとの間の接続状態が悪い端末が存在するため、端末の接続先を他のセルに変更することが困難となる可能性があり、ロードバランス制御だけではユーザ数超過の問題を解消できない場合がある。
【０００６】
上述したロードバランス制御以外の手法で特定のセルにおける端末の数の超過に対応する従来技術として以下の技術が提案されている。例えば、一つのセルを収容する基地局装置に適用される従来技術として、自基地局装置のセルに接続する端末を他の基地局装置によって収容される隣接セルへハンドオーバさせるとともに、自基地局装置のセルの送信電力を低減させる従来技術がある。
【先行技術文献】
【特許文献】
【０００７】
【特許文献１】特開平１１−１３６７２９号公報
【特許文献２】特開２０１４−２３６５０４号公報
【発明の概要】
【発明が解決しようとする課題】
【０００８】
しかしながら、上述した従来技術では、基地局装置がマルチキャリア機能を有する基地局装置である場合、端末の数が閾値を超えた特定のセルにおいて端末を隣接セルへハンドオーバさせるとともに、特定のセルの送信電力を低減させることになる。このため、上述した従来技術では、自基地局装置の複数のセルの中の他のセルに接続する端末の数が閾値以下である場合であっても、特定のセルにおいて隣接セルへのハンドオーバ及び送信電力の低減を行うこととなる。その結果、上述した従来技術では、特定のセルにおいて信号品質が低下してしまう恐れがある。
【０００９】
開示の技術は、上記に鑑みてなされたものであって、自局のセルにおける信号品質の低下を抑えることができる基地局装置及び基地局装置制御方法を提供することを目的とする。
【課題を解決するための手段】
【００１０】
本願の開示する基地局装置は、一つの態様において、通信部と、取得部と、選択部と、接続先制御部とを備える。前記通信部は、周波数帯の異なる複数のセル又は前記複数のセルの各々に接続する端末と通信を行う。前記取得部は、前記複数のセルの中の一つのセルに接続する複数の前記端末の数が所定の閾値を超過する場合に、前記端末ごとに、前記一つのセルを除く他のセルに対する接続能力と、前記他のセルとの間の接続状態とを示す情報を取得する。前記選択部は、前記情報で示される前記接続能力と、前記接続状態とを基に、複数の前記端末の中から、前記一つのセルとの接続を解放すべき端末である第１の候補端末を選択する。前記接続先制御部は、前記第１の候補端末の接続先を前記他のセルへ切り替える。
【発明の効果】
【００１１】
本願の開示する基地局装置の一つの態様によれば、自局のセルにおける信号品質の低下を抑えることができるという効果を奏する。
【図面の簡単な説明】
【００１２】
【図１】図１は、本実施例に係る基地局装置を含む無線通信システムの構成図である。
【図２】図２は、特定のセルにおける端末の数の超過に対応する前提技術を説明するための図である。
【図３】図３は、本実施例に係る基地局装置のブロック図である。
【図４】図４は、本実施例における候補端末選択部による第１の類型の端末、第２の類型の端末又は第３の類型の端末の選択を説明するための図である。
【図５】図５は、第１の候補端末が第１の類型の端末である場合の第１の候補端末の接続先の切り換えの一例を説明するための図である。
【図６】図６は、第１の候補端末が第２の類型の端末である場合の第１の候補端末の接続先の切り換えの一例を説明するための図である。
【図７】図７は、第１の候補端末が第３の類型の端末である場合の第１の候補端末の接続先の切り換えの一例を説明するための図である。
【図８】図８は、第２の候補端末の接続先の切り換えの一例を説明するための図である。
【図９】図９は、候補端末選択部によって用いられる内部テーブルの一例を示す図である。
【図１０】図１０は、本実施例に係る基地局装置による端末の接続先の切替処理のフローチャートである。
【図１１】図１１は、本実施例に係る自セル内接続先切替処理のフローチャートである。
【図１２】図１２は、候補端末リストの作成の一例を説明するための図である。
【図１３】図１３は、本実施例に係る自セル外接続先切替処理のフローチャートである。
【図１４】図１４は、基地局装置のハードウェア構成例を示す図である。
【発明を実施するための形態】
【００１３】
以下に、本願の開示する基地局装置及び基地局装置制御方法の実施例を図面に基づいて詳細に説明する。なお、この実施例により開示技術が限定されるものではない。
【実施例】
【００１４】
図１は、本実施例に係る基地局装置を含む無線通信システムの構成図である。図１に示すように、本実施例に係る無線通信システムは、基地局装置１及び端末２−１〜２−４を有する。
【００１５】
基地局装置１は、マルチキャリア機能を有する。具体的には、基地局装置１は、周波数帯の異なる複数のセル又は複数のセルの各々に接続する端末２−１〜２−４と通信を行う。図１の例では、基地局装置１は、セルＣ１に接続する端末２−１、端末２−２及び端末２−４と通信を行う。また、基地局装置１は、セルＣ２に接続する端末２−３と通信を行う。なお、図１の例では、基地局装置１が、周波数帯の異なる２つのセルを収容する例を示したが、基地局装置１によって収容されるセルの数は、３つ以上であっても良い。
【００１６】
端末２−１〜２−４は、セルＣ１又はセルＣ２の無線リソースを用いて、基地局装置１とデータの送受信を行う。
【００１７】
ここで、セルＣ１又はセルＣ２に接続可能な端末の数は、所定の閾値によって制限される。セルＣ１又はセルＣ２に接続する端末の数が所定の閾値を超過する場合、セルＣ１又はセルＣ２に接続する端末は、基地局装置１との間の通信を維持することが困難となる。例えば、セルＣ１又はセルＣ２に接続する端末は、他の基地局装置に接続して干渉問題を引き起こすため、基地局装置１との通信を維持することが困難となる。
【００１８】
次に、本実施例に係る基地局装置１を説明する前に、その前提となる技術について説明する。図２は、特定のセルにおける端末の数の超過に対応する前提技術を説明するための図である。
【００１９】
図２において、基地局装置１及び基地局装置３は共に、２つのセルを用いてマルチキャリア機能を端末に提供する基地局装置である。基地局装置１は、セルＣ１及びセルＣ２の各々において最大２台の端末と通信し、基地局装置３は、セルＣ３及びセルＣ４の各々において最大２台の端末と通信することができる。すなわち、セルＣ１〜セルＣ４の各々に接続可能な端末の数を示す接続数閾値は、「２」である。また、図２において、ｆ１は、セルＣ１及びセルＣ３に共通する周波数帯を示し、ｆ２は、セルＣ２及びセルＣ４に共通する周波数帯を示す。また、図２において、ＩＤは、基地局装置１又は基地局装置３がスケジューリング処理を行う際に無線リソースの割り当て対象となる端末を識別するための識別子であり、各セルに対して３つのＩＤが定義されている。また、図２において、＃１〜＃４は、それぞれ、各セルにおいて端末２−１〜２−４に割り当てられた無線リソースを示している。
【００２０】
図２の状態（１）は、端末２−１及び端末２−２がセルＣ１に接続し、端末２−３がセルＣ２に接続している場合に、端末２−４がセルＣ１に新たに接続する状態を示している。基地局装置１は、セルＣ１に接続する端末の数が、接続数閾値「２」を超過するので、セルＣ１に接続する端末２−１、端末２−２及び端末２−４の中から、セルＣ１に隣接するセルＣ３へハンドオーバさせる対象となる端末であるハンドオーバ候補を選択する。例えば、基地局装置１は、隣接セルであるセルＣ３における受信品質が最も良好である端末２−２をハンドオーバ候補として選択する。
【００２１】
続いて、基地局装置１は、図２の状態（２）に示すように、選択された端末２−２を隣接セルであるセルＣ３へハンドオーバさせるとともに、セルＣ１の送信電力を低減させる。セルＣ１の送信電力が低減されると、セルＣ１のカバレッジが収縮する。
【００２２】
ここで、前提技術の問題点を説明する。セルＣ２と、セルＣ２に隣接するセルＣ４との境界に位置する端末２−３は、セルＣ１の中心に近い位置に存在する端末２−２よりも、基地局３からの受信品質が良好であり、ハンドオーバ候補に適しているとも考えられる。ところが、前提技術では、基地局装置１は、端末の数が超過したセルＣ１に接続する端末をハンドオーバ候補として選択するので、セルＣ２に接続する端末２−３をハンドオーバ候補として選択しない。このため、前提技術では、基地局装置１は、基地局装置１が収容するセルＣ１及びセルＣ２の中のセルＣ２に接続する端末の数が接続数閾値「２」以下である場合であっても、セルＣ１において隣接セルへのハンドオーバ及び送信電力の低減を行うこととなる。その結果、前提技術では、セルＣ１において信号品質が低下してしまう。
【００２３】
次に、図３を参照して、本実施例に係る基地局装置１の構成を説明する。図３は、本実施例に係る基地局装置のブロック図である。図３に示す基地局装置１は、無線通信部１１、スケジューラ部１２、呼接続部１３、接続数判定部１４、端末情報管理部１５、候補端末選択部１６、接続先制御部１７、ＨＯ（Hand  Over）制御部１８、受信品質収集部１９及び送信電力制御部２０を有する。
【００２４】
無線通信部１１は、周波数帯の異なる複数のセルを収容し、収容する複数のセル又は複数のセルの各々に接続する端末と通信を行う。例えば、無線通信部１１は、アンテナ１１ａを介して、セルＣ１及びセルＣ２の各々に接続する端末との間で各種信号や各種データの送受信を行う。また、例えば、無線通信部１１は、アンテナ１１ａを介して、スケジューリング処理によって割り当てられた無線リソースを端末へ設定する。無線通信部１１は、「通信部」の一例に相当する。
【００２５】
スケジューラ部１２は、複数のセル又は複数のセルの各々に接続する端末に対して、複数のセルの各々の無線リソースを割り当てるスケジューリング処理を行う。具体的には、スケジューラ部１２は、スケジューリング処理を行う際に無線リソースの割り当て対象となる端末を識別するための識別子（以下「無線リソースＩＤ」と呼ぶ）を管理する。そして、スケジューラ部１２は、無線リソースＩＤにより識別される端末に対して、複数のセルの各々の無線リソースを割り当てる。スケジュール部１２は、スケジューリング処理によって割り当てられた無線リソースを無線通信部１１へ出力する。
【００２６】
また、スケジューラ部１２は、無線通信部１１を介して、未接続の端末からの接続要求の入力を受けた場合には、接続要求を呼接続部１３へ出力する。
【００２７】
呼接続部１３は、接続要求の入力をスケジューラ部１２から受ける。呼接続部１３は、接続要求により指定されたセルに未接続の端末を接続する。そして、呼接続部１３は、無線通信部により収容される複数のセルの各々に接続する端末の数を検出し、検出した端末の数を接続数判定部１４へ出力する。
【００２８】
接続数判定部１４は、無線通信部１１により収容される複数のセルの各々に接続可能な端末の数を示す接続数閾値を予め記憶している。接続数判定部１４は、複数のセルの各々に接続する端末の数の入力を呼接続部１３から受ける。接続数判定部１４は、複数のセルの各々に接続する端末の数が接続数閾値を超過するか否かを判定する。接続数判定部１４は、判定結果を端末情報管理部１５及び端末候補選択部１６へ出力する。
【００２９】
端末情報管理部１５は、無線通信部１１を介して、複数のセルの各々に接続する端末から、接続能力及び接続状態を示す端末情報を収集し、収集した端末情報を端末ごとに管理する。ここで、接続能力とは、無線通信部１１により収容される複数のセルの各々に接続し、接続したセルの無線リソースを用いて基地局装置１と通信を行う能力である。接続状態とは、無線通信部１１により収容される複数のセルの各々との間の通信で用いられるセルの設定状態や当該セルの受信品質である。端末情報管理部１５は、判定結果の入力を接続数判定部１４から受ける。端末情報管理部１５は、判定結果を用いて、無線通信部１１により収容される複数のセルの中の一つのセルに接続する複数の端末の数が接続数閾値を超過するか否かを検出する。
【００３０】
端末情報管理部１５は、複数のセルの中の一つのセルに接続する端末の数が接続数閾値を超過する場合に、以下の処理を行う。端末情報管理部１５は、端末情報を参照して、端末ごとに、複数の端末の数が接続数閾値を超過した一つのセル（以下「超過セル」と呼ぶ）を除く他のセル（以下「他セル」と呼ぶ）に対する接続能力と、他セルとの間の接続状態とを示す端末情報を取得する。端末情報管理部１５は、取得した端末情報を候補端末選択部１６へ出力する。端末情報管理部１５は、「取得部」の一例に相当する。
【００３１】
候補端末選択部１６は、端末情報の入力を端末情報管理部１５から受ける。候補端末選択部１６は、端末情報で示される接続能力と、接続状態とを基に、超過セルに接続する複数の端末の中から、超過セルとの接続を解放すべき端末である第１の候補端末を選択し、選択した第１の候補端末の情報を接続先制御部１７へ出力する。第１の候補端末は、第１の類型の端末、第２の類型の端末又は第３の類型の端末である。
【００３２】
第１の類型の端末は、他セルと、他セルに従属する超過セルとに同時に接続し、超過セル及び他セルの無線リソースを用いて基地局装置１と通信を行う接続能力を有する端末である。例えば、第１の類型の端末は、Ｐｃｅｌｌ（Primary  Cell）である他セルと、Ｓｃｅｌｌ（Secondary  Cell）である超過セルとに同時に接続し、Ｐｃｅｌｌ及びＳｃｅｌｌの無線リソースを用いて通信を行うＣＡ（Carrier  Aggregation）能力を有する。
【００３３】
第２の類型の端末は、超過セル及び他セルのいずれか一方のセルに接続し、一方のセルの無線リソースを用いて基地局装置１と通信を行う接続能力を有する端末である。例えば、第２の類型の端末は、超過セル及び他セルのいずれにも接続することができるが、超過セル及び他セルのいずれか一方のセルに接続し、一方のセルの無線リソースを用いて通信を行うマルチバンド能力を有する。
【００３４】
第３の類型の端末は、超過セルと、超過セルに従属する他セルとに同時に接続し、超過セル及び他セルの無線リソースを用いて基地局装置１と通信を行う接続能力を有する端末である。例えば、第３の類型の端末は、Ｐｃｅｌｌであるである超過セルと、Ｓｃｅｌｌである他セルとに同時に接続し、Ｐｃｅｌｌ及びＳｃｅｌｌの無線リソースを用いて通信を行うＣＡ能力を有する。
【００３５】
図４は、本実施例における候補端末選択部による第１の類型の端末、第２の類型の端末又は第３の類型の端末の選択を説明するための図である。
【００３６】
候補端末選択部１６は、超過セルに接続する複数の端末のうち、他セルに対する接続能力を有し、かつ、他セルとの間の接続状態が良好である端末を第１の候補端末として選択する。ここで、他セルに対する接続能力を有するとは、ＣＡ能力又はマルチバンド能力を有することを表す。また、他セルとの間の接続状態が良好であるとは、端末がＣＡ能力を有する場合に、他セルがＰｃｅｌｌ又はＳｃｅｌｌとして使用されているケースや、他セルがＳｃｅｌｌとして使用可能な受信電力ではあるが、Ｓｃｅｌｌを使用してはいないケースを表す。また、他セルとの間の接続状態が良好であるとは、端末がマルチバンド能力を有する場合に、他セルにおける受信電力が所定値以上であることを表す。図４の例では、候補端末選択部１６は、ＣＡ能力を有し、かつ、他セルをＰｃｅｌｌとして使用する第１の類型の端末を第１の候補端末として選択する。また、例えば、候補端末選択部１６は、マルチバンド能力を有し、かつ、他セルにおける受信電力が所定値以上である第２の類型の端末を第１の候補端末として選択する。また、例えば、端末候補選択部１６は、ＣＡ能力を有し、かつ、他セルをＳｃｅｌｌとして使用する第３の類型の端末を第１の候補端末として選択する。
【００３７】
また、候補端末選択部１６は、超過セルに接続する複数の端末のうち、他セルに対する接続能力を有さない端末を第１の候補端末から除外する。図４の例では、候補端末選択部１６は、超過セルのみに対して接続し、超過セルの無線リソースを用いて通信を行うシングルバンド能力を有する端末を第１の候補端末から除外する。
【００３８】
また、候補端末選択部１６は、超過セルに接続する複数の端末のうち、他セルに対する接続能力を有し、かつ、他セルとの間の接続状態が悪い端末を第１の候補端末から除外する。ここで、他セルとの間の接続状態が悪いとは、端末がＣＡ能力を有する場合に、他セルにおける受信電力が所定値未満であり、他セルがＳｃｅｌｌとして使用されていないことを表す。図４の例では、候補端末選択部１６は、ＣＡ能力を有し、かつ、他セルがＳｃｅｌｌとして使用されていない端末を第１の候補端末から除外する。
【００３９】
図３の説明に戻る。候補端末選択部１６は、判定結果の入力を接続数判定部１４から受ける。候補端末選択部１６は、後述する接続先制御部１７により第１の候補端末の接続先が他セルへ切り替えられた後に、判定結果を用いて、超過セルに接続する複数の端末の数が接続数閾値を超過するか否かを判定する。候補端末選択部１６は、超過セルに接続する複数の端末の数が接続数閾値を超過する場合に、以下の処理を行う。すなわち、候補端末選択部１６は、複数のセルの各々に接続する端末が、複数のセルに隣接する他の基地局装置のセルである隣接セルに接続した場合の受信品質（以下「隣接セル受信品質」）の入力を後述する受信品質収集部１９から受ける。候補端末選択部１６は、隣接セル受信品質を基に、超過セルに接続する複数の端末及び他セルに接続する複数の端末の中から、超過セル又は他セルとの接続を解放すべき端末である第２の候補端末を選択し、選択した第２の候補端末を接続先制御部１７へ出力する。
【００４０】
ここで、候補端末選択部１６が第２の候補端末を選択する処理の詳細を説明する。候補端末選択部１６は、超過セルに接続する複数の端末の各々及び他セルに接続する複数の端末の各々に関して、隣接セル受信品質が低いほど無線通信部１１の通信に用いられる送信電力を低減させる送信電力低減量を算出する。そして、候補端末選択部１６は、超過セルに接続する複数の端末及び他セルに接続する複数の端末のうち、送信電力低減量が最小となる端末を第２の候補端末として選択する。なお、候補端末選択部１６は、第２の候補端末に対応する最小の送信電力低減量を接続先制御部１７へ出力する。候補端末選択部１６は、「選択部」の一例に相当する。
【００４１】
接続先制御部１７は、第１の候補端末又は第２の候補端末の入力を候補端末選択部１６から受ける。接続先制御部１７は、第１の候補端末の入力を受けた場合、第１の候補端末の接続先を他セルへ切り替える。これに対して、接続先制御部１７は、第２の候補端末の入力を受けた場合、第２の候補端末の接続先を隣接セルへ切り替える。以下では、第１の候補端末の接続先の切り換えの詳細と、第２の候補端末の接続先の切り換えの詳細とをこの順番に説明する。
【００４２】
まず、第１の候補端末の接続先の切り換えの詳細を説明する。接続先制御部１７は、第１の候補端末が第１の類型の端末である場合、第１の候補端末に割り当てられた超過セルの無線リソースを解放することによって、第１の候補端末の接続先を他セルへ切り替える。具体的には、接続先制御部１７は、Ｓｃｅｌｌである超過セルにおいて第１の候補端末に対応する無線リソースＩＤをスケジューラ部１２に削除させることによって、第１の候補端末に割り当てられた超過セルの無線リソースを解放する。さらに、接続先制御部１７は、第１の候補端末に対してＳｃｅｌｌの使用を停止するように指示する。
【００４３】
また、接続先制御部１７は、第１の候補端末が第２の類型の端末である場合、超過セルから他セルへのハンドオーバを第１の候補端末に指示することによって、第１の候補端末の接続先を他セルへ切り替える。具体的には、接続先制御部１７は、超過セルから他セルへのハンドオーバを第１の候補端末に指示するハンドオーバ指示をＨＯ制御部１８へ出力することによって、第１の候補端末の接続先を他セルへ切り替える。なお、超過セルから他セルへのハンドオーバのような、同一基地局装置配下のセル間でのハンドオーバは、Ｉｎｔｒａ−ｅＮＢハンドオーバとも呼ばれる。
【００４４】
また、接続先制御部１７は、第１の候補端末が第３の類型の端末である場合、以下の処理を行う。すなわち、接続先制御部１７は、第１の候補端末に割り当てられた他セルの無線リソースを解放するとともに、第１の候補端末に割り当てられた超過セルの無線リソースを他セルの無線リソースに切り替えることによって、第１の候補端末の接続先を他セルへ切り替える。具体的には、接続先制御部１７は、Ｓｃｅｌｌである他セルにおいて第１の候補端末に対応する無線リソースＩＤをスケジューラ部１２に削除させることによって、第１の候補端末に割り当てられた他セルの無線リソースを解放する。そして、接続先制御部１７は、Ｐｃｅｌｌである超過セルにおいて第１の候補端末に対応する無線リソースＩＤを、他セルにおいて空いた無線リソースＩＤで置換させることによって、第１の候補端末に割り当てられた超過セルの無線リソースを他セルの無線リソースに切り替える。このとき、基地局装置１と第１の候補端末との間でランダムアクセス処理が行われる。
【００４５】
また、接続先制御部１７は、第１の類型の端末、第２の類型の端末及び第３の類型の端末の順に、第１の候補端末の接続先を他セルへ切り替える。第１の候補端末の接続先を他セルへ切り替えるための処理量は、第１の類型の端末、第２の類型の端末及び第３の類型の端末の順に大きくなる。このため、接続先制御部１７は、より処理量が小さい順である、第１の類型の端末、第２の類型の端末及び第３の類型の端末の順に、第１の候補端末の接続先を他セルへ切り替える。
【００４６】
図５は、第１の候補端末が第１の類型の端末である場合の第１の候補端末の接続先の切り換えの一例を説明するための図である。図５において、基地局装置１は、セルＣ１及びセルＣ２の各々において最大２台の端末と通信することができるものとする。すなわち、セルＣ１及びセルＣ２の各々に接続可能な端末の数を示す接続数閾値は、「２」である。また、図５において、ｆ１は、セルＣ１に対応する周波数帯を示し、ｆ２は、セルＣ２に対応する周波数帯を示す。また、図５において、ＩＤは、無線リソースＩＤであり、各セルに対して３つの無線リソースＩＤが定義されている。また、図５において、＃１〜＃３は、それぞれ、各セルにおいて端末２−１〜端末２−３に割り当てられた無線リソースを示している。また、図５において、端末２−１は、ＣＡ能力を有する端末であり、端末２−２及び端末２−３は、シングルバンド能力を有する端末であるものとする。
【００４７】
図５の状態（１）は、端末２−１がＰｃｅｌｌであるセルＣ２とＳｃｅｌｌであるセルＣ１とに同時に接続し、端末２−２がセルＣ１に接続している場合に、端末２−３がセルＣ１に新たに接続する状態を示している。基地局装置１の候補端末選択部１６は、セルＣ１に接続する端末の数が、接続数閾値「２」を超過するので、超過セルであるセルＣ１に接続する端末２−１、端末２−２及び端末２−３の中から、セルＣ１との接続を解放すべき第１の候補端末を選択する。端末２−１は、ＰｃｅｌｌであるセルＣ２とＳｃｅｌｌであるセルＣ１とに同時に接続し、Ｐｃｅｌｌ及びＳｃｅｌｌの無線リソースを用いて通信を行っているので、第１の類型の端末に相当する。このため、候補端末選択部１６は、第１の類型の端末である端末２−１を第１の候補端末として選択する。
【００４８】
続いて、基地局装置１は、図５の状態（２）に示すように、第１の候補端末である端末２−１に割り当てられたセルＣ１の無線リソースを解放することによって、端末２−１の接続先をセルＣ２へ切り替える。具体的には、基地局装置１の接続先制御部１７は、ＳｃｅｌｌであるセルＣ１において端末２−１に対応する無線リソースＩＤ「１」をスケジューラ部１２に削除させることによって、端末２−１に割り当てられたセルＣ１の無線リソースを解放する。これにより、セルＣ１に接続する端末の数が、接続数閾値「２」以下となるので、端末２−３と基地局装置１との間の接続が維持される。
【００４９】
図６は、第１の候補端末が第２の類型の端末である場合の第１の候補端末の接続先の切り換えの一例を説明するための図である。図６において、基地局装置１は、セルＣ１及びセルＣ２の各々において最大２台の端末と通信することができるものとする。すなわち、セルＣ１及びセルＣ２の各々に接続可能な端末の数を示す接続数閾値は、「２」である。また、図６において、ｆ１は、セルＣ１に対応する周波数帯を示し、ｆ２は、セルＣ２に対応する周波数帯を示す。また、図６において、ＩＤは、無線リソースＩＤであり、各セルに対して３つの無線リソースＩＤが定義されている。また、図６において、＃１〜＃３は、それぞれ、各セルにおいて端末２−１〜端末２−３に割り当てられた無線リソースを示している。また、図６において、端末２−１は、マルチバンド能力を有する端末であり、端末２−２及び端末２−３は、シングルバンド能力を有する端末であるものとする。
【００５０】
図６の状態（１）は、端末２−１及び端末２−２がセルＣ１に接続している場合に、端末２−３がセルＣ１に新たに接続する状態を示している。基地局装置１の候補端末選択部１６は、セルＣ１に接続する端末の数が、接続数閾値「２」を超過するので、超過セルであるセルＣ１に接続する端末２−１、端末２−２及び端末２−３の中から、セルＣ１との接続を解放すべき第１の候補端末を選択する。端末２−１は、マルチバンド能力を有し、かつ、セルＣ２における受信電力が所定値以上であるので、第２の類型の端末に相当する。このため、候補端末選択部１６は、第２の類型の端末である端末２−１を第１の候補端末として選択する。
【００５１】
続いて、基地局装置１は、図６の状態（２）に示すように、セルＣ１からセルＣ２へのハンドオーバを第１の候補端末である端末２−１に指示することによって、端末２−１の接続先をセルＣ２へ切り替える。具体的には、基地局装置１の接続先制御部１７は、セルＣ１からセルＣ２へのハンドオーバを端末２−１に指示するハンドオーバ指示をＨＯ制御部１８へ出力することによって、端末２−１の接続先をセルＣ２へ切り替える。端末２−１がセルＣ１からセルＣ２へハンドオーバする場合に、スケジューラ部１２は、セルＣ１において端末２−１に対応する無線リソースＩＤ「１」を削除し、セルＣ２において無線リソースＩＤ「４」を端末２−１に新規に割り当てる。これにより、セルＣ１に接続する端末の数が、接続数閾値「２」以下となるので、端末２−３と基地局装置１との間の接続が維持される。
【００５２】
図７は、第１の候補端末が第３の類型の端末である場合の第１の候補端末の接続先の切り換えの一例を説明するための図である。図７において、基地局装置１は、セルＣ１及びセルＣ２の各々において最大２台の端末と通信することができるものとする。すなわち、セルＣ１及びセルＣ２の各々に接続可能な端末の数を示す接続数閾値は、「２」である。また、図７において、ｆ１は、セルＣ１に対応する周波数帯を示し、ｆ２は、セルＣ２に対応する周波数帯を示す。また、図７において、ＩＤは、無線リソースＩＤであり、各セルに対して３つの無線リソースＩＤが定義されている。また、図７において、＃１〜＃３は、それぞれ、各セルにおいて端末２−１〜端末２−３に割り当てられた無線リソースを示している。また、図７において、端末２−１は、ＣＡ能力を有する端末であり、端末２−２及び端末２−３は、シングルバンド能力を有する端末であるものとする。
【００５３】
図７の状態（１）は、端末２−１がＰｃｅｌｌであるセルＣ１とＳｃｅｌｌであるセルＣ２とに同時に接続し、端末２−２がセルＣ１に接続している場合に、端末２−３がセルＣ１に新たに接続する状態を示している。基地局装置１の候補端末選択部１６は、セルＣ１に接続する端末の数が、接続数閾値「２」を超過するので、超過セルであるセルＣ１に接続する端末２−１、端末２−２及び端末２−３の中から、セルＣ１との接続を解放すべき第１の候補端末を選択する。端末２−１は、ＰｃｅｌｌであるセルＣ１とＳｃｅｌｌであるセルＣ２とに同時に接続し、Ｐｃｅｌｌ及びＳｃｅｌｌの無線リソースを用いて通信を行っているので、第３の類型の端末に相当する。このため、候補端末選択部１６は、第３の類型の端末である端末２−１を第１の候補端末として選択する。
【００５４】
続いて、基地局装置１は、図７の状態（２）に示すように、第１の候補端末である端末２−１に割り当てられたセルＣ２の無線リソースを解放する。具体的には、基地局装置１の接続先制御部１７は、ＳｃｅｌｌであるセルＣ２において端末２−１に対応する無線リソースＩＤ「４」をスケジューラ部１２に削除させることによって、端末２−１に割り当てられたセルＣ２の無線リソースを解放する。
【００５５】
続いて、基地局装置１は、図７の状態（３）に示すように、第１の候補端末である端末２−１に割り当てられたセルＣ１の無線リソースをセルＣ２の無線リソースに切り替えることによって、端末２−１の接続先をセルＣ２へ切り替える。具体的には、基地局装置１の接続先制御部１７は、スケジューラ部１２に、ＰｃｅｌｌであるセルＣ１において端末２−１に対応する無線リソースＩＤ「１」を、セルＣ２において解放された無線リソースＩＤ「４」で置換させる。これにより、セルＣ１に接続する端末の数が、接続数閾値「２」以下となるので、端末２−３と基地局装置１との間の接続が維持される。
【００５６】
次に、第２の候補端末の接続先の切り換えの詳細を説明する。接続先制御部１７は、送信電力低減量の入力を候補端末選択部１６から受ける。接続先制御部１７は、第２の候補端末が接続するセルの送信電力を送信電力低減量だけ低減する旨を送信電力制御部２０へ指示し、送信電力が低減された状態で、第２の候補端末の接続先を隣接セルへ切り替える。具体的には、接続先制御部１７は、超過セル又は他セルから隣接セルへのハンドオーバを第２の候補端末に指示することによって、第２の候補端末の接続先を隣接セルへ切り替える。
【００５７】
また、接続先制御部１７は、他セルに接続する複数の端末の中から選択された第２の候補端末の接続先を隣接セルへ切り替えた場合、第１の候補端末の接続先を他セルへ切り替える処理を再度行う。
【００５８】
図８は、第２の候補端末の接続先の切り換えの一例を説明するための図である。図８において、基地局装置１は、セルＣ１及びセルＣ２の各々において最大２台の端末と通信することができるものとする。すなわち、セルＣ１及びセルＣ２の各々に接続可能な端末の数を示す接続数閾値は、「２」である。また、図８において、他の基地局装置３は、セルＣ１に隣接する隣接セルであるセルＣ３を管理し、他の基地局装置４は、セルＣ２に隣接する隣接セルであるセルＣ４を管理する。また、図８において、ｆ１は、セルＣ１及びセルＣ３に共通する周波数帯を示し、ｆ２は、セルＣ２及びセルＣ４に共通する周波数帯を示す。また、図８において、ＩＤは、無線リソースＩＤであり、各セルに対して３つの無線リソースＩＤが定義されている。また、図８において、＃１〜＃５が、それぞれ、各セルにおいて端末２−１〜端末２−５に割り当てられた無線リソースを示している。また、図８において、端末２−２は、ＣＡ能力を有する端末であり、端末２−１及び端末２−３〜端末２−５は、シングルバンド能力を有する端末であるものとする。
【００５９】
図８の状態（１）は、端末２−２がＰｃｅｌｌであるセルＣ１に接続し、端末２−１がセルＣ１に接続し、端末２−３及び端末２−４がセルＣ２に接続している場合に、端末２−５がセルＣ１に新たに接続する状態を示している。図８の状態（１）では、セルＣ１に接続する端末の数が、接続数閾値「２」を超過する。このため、基地局装置１の候補端末選択部１６は、超過セルであるセルＣ１に接続する複数の端末及び他セルに接続する複数の端末の中から、セルＣ１又はセルＣ２との接続を解放すべき第２の候補端末を選択する。
【００６０】
候補端末選択部１６は、超過セルであるセルＣ１に接続する複数の端末の各々及び他セルであるセルＣ２に接続する複数の端末の各々に関して、隣接セル受信品質が低いほど送信電力量を低減させる送信電力低減量Δを算出する。候補端末選択部１６は、算出された送信電力低減量Δを、超過セルであるセルＣ１に接続する複数の端末の各々及び他セルであるセルＣ２に接続する複数の端末の各々に対応付けて内部テーブルに格納する。図９は、候補端末選択部によって用いられる内部テーブルの一例を示す図である。
【００６１】
候補端末選択部１６は、内部テーブルを参照して、超過セルであるセルＣ１に接続する複数の端末及び他セルであるセルＣ２に接続する複数の端末のうち、送信電力低減量Δが最小となる端末を第２の候補端末として選択する。図９に示す例では、端末２−３が、隣接セルであるセルＣ４に対する隣接セル受信品質が最も高い端末であり、端末２−３に対応する送信電力低減量ΔＵＥ３が最小であるものとする。このため、候補端末選択部１６は、端末２−３を第２の候補端末として選択する。
【００６２】
続いて、基地局装置１は、図８の状態（１）に示すように、第２の候補端末である端末２−３が接続するセルＣ２の送信電力を送信電力低減量Δだけ低減させ、送信電力が低減された状態で、端末２−３の接続先を隣接セルであるセルＣ４へ切り替える。具体的には、基地局装置１の接続先制御部１７は、端末２−３が接続するセルＣ２の送信電力を送信電力低減量Δだけ低減する旨を送信電力制御部２０へ指示する。そして、接続先制御部１７は、セルＣ２からセルＣ４へのハンドオーバを端末２−３に指示するハンドオーバ指示をＨＯ制御部１８へ出力することによって、端末２−３の接続先をセルＣ４へ切り替える。端末２−３がセルＣ２からセルＣ４へハンドオーバする場合に、基地局装置１のスケジュール部１２は、セルＣ２において無線リソースＩＤ「４」を削除する。図８の例では
接続先制御部１７は、超過セルであるセルＣ１に接続する複数の端末ではなく、他セルであるセルＣ２に接続する複数の端末の中から選択された端末２−３の接続先を隣接セルであるセルＣ４へ切り替える。このため、超過セルであるセルＣ１に接続する端末の数が、依然として、接続数閾値「２」を超過する。
【００６３】
そこで、基地局装置１は、セルＣ２に接続する複数の端末の中から選択された端末２−３の接続先を隣接セルであるセルＣ４へ切り替えた場合、図８の状態（２）に示すように、第１の候補端末の接続先を他セルへ切り替える処理を再度行う。具体的には、基地局装置１の候補端末選択部１６は、超過セルであるセルＣ１に接続する端末２−１、端末２−２及び端末２−５の中から、セルＣ１との接続を解放すべき第１の候補端末を選択する。ここで、端末２−２は、ＰｃｅｌｌであるセルＣ１とＳｃｅｌｌであるセルＣ２と同時に接続し、Ｐｃｅｌｌ及びＳｃｅｌｌの無線リソースを用いて通信を行う第３の類型の端末に相当するものとする。このため、候補端末選択部１６は、端末２−２を第１の候補端末として選択する。そして、基地局装置１の接続先制御部１７は、スケジュール部１２に、ＰｃｅｌｌであるセルＣ１において端末２−２に対応する無線リソースＩＤ「２」を、セルＣ２において解放された無線リソースＩＤ「４」で置換させる。すなわち、端末２−２のＰｃｅｌｌがセルＣ１からセルＣ２へ切り替えられる。これにより、セルＣ１に接続する端末の数が、接続数閾値「２」以下となるので、端末２−５と基地局装置１との間の接続が維持される。
【００６４】
図３の説明に戻る。ＨＯ制御部１８は、接続先制御部１７からの指示に従って、無線通信部１１との間でハンドオーバに関する所定の処理を行う。
【００６５】
受信品質収集部１９は、無線通信部１１によって収容される複数のセルの各々に接続する端末から、隣接セル受信品質を収集する。受信品質収集部１９は、収集した隣接セル受信品質を候補端末選択部１６へ出力する。
【００６６】
送信電力制御部２０は、セルごとに、無線通信部１１の通信に用いられる送信電力を制御する。例えば、送信電力制御部２０は、接続先制御部１７からの指示に応じて、無線通信部１１を制御することによって、第２の候補端末が接続するセルの送信電力を送信電力低減量だけ低減する。
【００６７】
次に、図１０を参照して、本実施例に係る基地局装置による端末の接続先の切替処理の流れの一例について説明する。図１０は、本実施例に係る基地局装置による端末の接続先の切替処理のフローチャートである。
【００６８】
図１０に示すように、基地局装置１は、接続要求がない場合（ステップＳ１０１否定）、待機する。一方、基地局装置１は、接続要求があった場合（ステップＳ１０１肯定）、無線通信部１１により収容される複数のセルの中の一つのセルに接続する複数の端末の数が接続数閾値を超過するか否かを検出する（ステップＳ１０２）。基地局装置１は、複数のセルの中の一つのセルに接続する複数の端末の数が接続数閾値以下である場合（ステップＳ１０２否定）、処理を終了する。
【００６９】
一方、基地局装置１は、複数のセルの中の一つのセルに接続する複数の端末の数が接続数閾値を超過する場合（ステップＳ１０２肯定）、自セル内接続先切替処理を実行する（ステップＳ１０３）。自セル内接続先切替処理は、超過セルに接続する複数の端末の中から、超過セルとの接続を解放すべき端末である第１の候補端末を選択し、第１の候補端末の接続先を他セルへ切り替える処理である。自セル内接続先切替処理の詳細については、後述する。基地局装置１は、自セル内接続先切替処理を行った後、超過セルに接続する複数の端末の数が接続数閾値以下である場合（ステップＳ１０４否定）、処理を終了する。
【００７０】
基地局装置１は、超過セルに接続する複数の端末の数が接続数閾値を超過する場合（ステップＳ１０４肯定）、自セル外接続先切替処理を実行する（ステップＳ１０５）。自セル外接続先切替処理は、超過セルに接続する複数の端末及び他セルに接続する複数の端末の中から、超過セル又は他セルとの接続を解放すべき端末である第２の候補端末を選択し、第２の候補端末の接続先を隣接セルへ切り替える処理である。自セル外接続先切替処理の詳細については、後述する。
【００７１】
基地局装置１は、自セル外接続先切替処理において、他セルに接続する複数の端末の中から選択された第２の候補端末の接続先を隣接セルへ切り替えた場合（ステップＳ１０６肯定）、処理をステップＳ１０３に戻し、自セル内接続先切替処理を再度実行する。
【００７２】
一方、基地局装置１は、自セル外接続先切替処理において、超過セルに接続する複数の端末の中から選択された第２の候補端末の接続先を隣接セルへ切り替えた場合（ステップＳ１０６否定）、処理を終了する。
【００７３】
次に、図１１を参照して、本実施例に係る自セル内接続先切替処理の流れの一例について説明する。図１１は、本実施例に係る自セル内接続先切替処理のフローチャートである。図１１に示した自セル内接続先切替処理は、図１０に示したステップＳ１０３に相当する。
【００７４】
図１１に示すように、基地局装置１の端末情報管理部１５は、超過セルに接続する複数の端末を認識し（ステップＳ２０１）、端末ごとに、他セルに対する接続能力と、他セルとの間の接続状態とを示す端末情報を取得する（ステップＳ２０２）。
【００７５】
候補端末選択部１６は、端末情報で示される接続能力と、接続状態とを基に、超過セルに接続する複数の端末の中から、第１の候補端末を選択する（ステップＳ２０３）。第１の候補端末は、第１の類型の端末、第２の類型の端末又は第３の類型の端末である。
【００７６】
接続先制御部１７は、第１の類型の端末、第２の類型の端末及び第３の類型の端末の順に、第１の候補端末を並べ替えた候補端末リストを作成する（ステップＳ２０４）。
【００７７】
図１２は、候補端末リストの作成の一例を説明するための図である。図１２の左側において、超過セルに接続する複数の端末（ＵＥ１〜ＵＥ６）の中から、接続能力と、接続状態とを基に、第１の候補端末として端末ＵＥ１、端末ＵＥ２、端末ＵＥ３及び端末ＵＥ５が選択されたものとする。端末ＵＥ１は、第２の類型の端末である。端末ＵＥ２は、第３の類型の端末である。端末ＵＥ３は、第１の類型の端末である。端末ＵＥ５は、第２の類型の端末であり、同じ類型の端末ＵＥ１よりも他セルでの受信電力が低い状態とする。このような場合、接続先制御部１７は、図１２の右側に示すように、第１の類型の端末、第２の類型の端末及び第３の類型の端末の順に、候補端末である端末ＵＥ１、端末ＵＥ２、端末ＵＥ３及び端末ＵＥ５を並べ替えることによって、候補端末リストを作成する。
【００７８】
図１１の説明に戻る。接続先制御部１７は、候補端末リストから、第１の類型の端末、第２の類型の端末及び第３の類型の端末の順に、１つの第１の端末候補を選択する（ステップＳ２０５）。
【００７９】
接続先制御部１７は、選択された第１の候補端末が第１の類型の端末である場合（ステップＳ２０６肯定）、第１の候補端末に割り当てられた超過セルの無線リソースを解放することによって、第１の候補端末の接続先を他セルへ切り替える（ステップＳ２０７）。
【００８０】
接続先制御部１７は、選択された第１の候補端末が第２の類型の端末である場合（ステップＳ２０６否定、ステップＳ２０８肯定）、他セルに空きＩＤがあるか否かを判定する（ステップＳ２０８ａ）。接続先制御部１７は、他セルに空きＩＤがある場合（ステップＳ２０８ａ肯定）、超過セルから他セルへのハンドオーバを第１の候補端末に指示することによって、第１の候補端末の接続先を他セルへ切り替える（ステップＳ２０９）。一方、接続先制御部１７は、他セルに空きＩＤがない場合（ステップＳ２０８ａ否定）、処理をステップＳ２１２ａへ移行する。
【００８１】
接続先制御部１７は、選択された第１の候補端末が第３の類型の端末である場合（ステップＳ２０８否定）、以下の処理を行う。すなわち、接続先制御部１７は、第１の候補端末に割り当てられた他セルの無線リソースを解放し（ステップＳ２１０）、第１の候補端末に割り当てられた超過セルの無線リソースを他セルの無線リソースに切り替える（ステップＳ２１１）。これによって、接続先制御部１７は、第１の候補端末の接続先を他セルへ切り替える。
【００８２】
その後、接続先制御部１７は、選択済みの第１の候補端末の数が所定数に達したか否かを判定する（ステップＳ２１２ａ）。接続先制御部１７は、選択済みの第１の候補端末の数が所定数に達した場合（ステップＳ２１２ａ肯定）、処理を終了する。
【００８３】
一方、接続先制御部１７は、選択済みの第１の候補端末の数が所定数に達していない場合（ステップＳ２１２ａ否定）、処理をステップＳ２１２へ移行する。
【００８４】
接続先制御部１７は、候補端末リストから、第１の候補端末を全て選択していない場合（ステップＳ２１２否定）、処理をステップＳ２０５に戻し、候補端末リストから、第１の候補端末を全て選択した場合（ステップＳ２１２肯定）、処理を終了する。すなわち、接続先制御部１７は、ステップＳ２０５〜Ｓ２１２の処理を繰り返すことによって、候補端末リストを用いて、第１の類型の端末、第２の類型の端末及び第３の類型の端末の順に、第１の候補端末の接続先を他セルへ切り替える。
【００８５】
次に、図１３を参照して、本実施例に係る自セル外接続先切替処理の流れの一例について説明する。図１３は、本実施例に係る自セル外接続先切替処理のフローチャートである。図１３に示した自セル外接続先切替処理は、図１０に示したステップＳ１０５に相当する。
【００８６】
図１３に示すように、基地局装置１の受信品質収集部１９は、無線通信部１１によって収容される複数のセルの各々に接続する端末から、隣接セル受信品質を収集する（ステップＳ３０１）。
【００８７】
候補端末選択部１６は、超過セルに接続する複数の端末の各々及び他セルに接続する複数の端末の各々に関して、隣接セル受信品質が低いほど無線通信部１１の通信に用いられる送信電力を低減させる送信電力低減量を算出する（ステップＳ３０２）。
【００８８】
候補端末選択部１６は、超過セルに接続する複数の端末及び他セルに接続する複数の端末のうち、送信電力低減量が最小となる端末を第２の候補端末として選択する（ステップＳ３０３）。
【００８９】
接続先制御部１７は、第２の候補端末が接続するセルの送信電力を送信電力低減量だけ低減する旨を送信電力制御部２０へ指示する（ステップＳ３０４）。
【００９０】
接続先制御部１７は、超過セル又は他セルから隣接セルへのハンドオーバを第２の候補端末に指示することによって、第２の候補端末の接続先を隣接セルへ切り替える（ステップＳ３０５）。
【００９１】
以上説明したように、本実施例に係る基地局装置１は、一つのセルに接続する端末の数が接続数閾値を超過する場合、超過セルを除く他セルに対する接続能力と、他セルとの接続状態とを基に、第１の候補端末を選択し、選択した第１の候補端末の接続先を他セルへ切り替える。このため、本実施例によれば、端末の数が接続数閾値を超過した超過セルにおいて、他の基地局装置のセルである隣接セルへのハンドオーバ及び送信電力の低減を行うことなく、自基地局装置１が収容する他セルを用いて、端末の数を削減することができる。結果として、本実施例によれば、自基地局装置１が収容する複数のセルの各々において自局のセルにおける信号品質の低下を抑えることができる。
【００９２】
また、基地局装置１は、第１の候補端末の接続先を他セルへ切り替えた後、端末の数が接続数閾値を依然として超過する場合、超過セルに接続する端末及び他セルに接続する端末の中から、第２の候補端末を選択し、選択した第２の候補端末の接続先を隣接セルへ切り替える。結果として、本実施例によれば、自基地局装置１が収容するセルに隣接する他の基地局装置の隣接セルを用いて、端末の数を削減しつつ、自基地局装置１が収容するセルに残留する端末に対する自局のセルにおける信号品質の低下を抑えることができる。
【００９３】
（ハードウェア構成）
上記実施例の基地局装置１は、例えば、図１４に示したようなハードウェア構成により実現することができる。図１４は、基地局装置のハードウェア構成例を示す図である。
【００９４】
図１４に示すように、基地局装置１は、ハードウェアの構成要素として、プロセッサ１００１と、メモリ１００２と、ＲＦ（Radio  Frequency）回路１００３とを有する。ＲＦ回路１００３は、アンテナ１００３ａを有する。メモリ１００２は、例えば、ＲＡＭ（Random  Access  Memory）、ＲＯＭ（Read  Only  Memory）、フラッシュメモリにより構成される。図３に示した無線通信部１１は、例えば、ＲＦ回路１００３等のアナログ回路により実現される。また、スケジューラ部１２、呼接続部１３、接続数判定部１４、端末情報管理部１５、候補端末選択部１６、接続先制御部１７、ＨＯ制御部１８、受信品質収集部１９及び送信電力制御部２０は、例えば、プロセッサ１００１等の集積回路により実現される。
【００９５】
また、上記実施例で説明した各種の処理は、予め用意されたプログラムをコンピュータで実行することで実現できる。スケジューラ部１２、呼接続部１３、接続数判定部１４、端末情報管理部１５、候補端末選択部１６、接続先制御部１７、ＨＯ制御部１８、受信品質収集部１９及び送信電力制御部２０により実行される各処理に対応するプログラムがメモリ１００２に記録される。そして、各プログラムがプロセッサ１００１に読み出されてプロセスとして機能する。
【符号の説明】
【００９６】
１  基地局装置
１１  無線通信部
１５  端末情報取得部
１６  候補端末選択部
１７  接続先制御部
１９  受信品質収集部
２０  送信電力制御部
【図１】
2017011340.tif 000003
【図２】
2017011340.tif 000004
【図３】
2017011340.tif 000005
【図４】
2017011340.tif 000006
【図５】
2017011340.tif 000007
【図６】
2017011340.tif 000008
【図７】
2017011340.tif 000009
【図８】
2017011340.tif 000010
【図９】
2017011340.tif 000011
【図１０】
2017011340.tif 000012
【図１１】
2017011340.tif 000013
【図１２】
2017011340.tif 000014
【図１３】
2017011340.tif 000015
【図１４】
2017011340.tif 000016